(57)【要約】【課題】図書の点検作業における作業者の負担を低減させることができる図書保管管理システムを提供すること。【解決手段】管理装置２４は、図書４における図書識別情報が記録された図書識別情報記録部７を読み取る図書読取手段８と、コンテナ６におけるコンテナ識別情報が記録されたコンテナ識別情報記録部２２を読み取るコンテナ読取手段２３と、点検作業の対象となる図書４が収容されたコンテナ６を点検作業のために書庫３から図書読取手段及びコンテナ読取手段２３まで搬送する点検搬送手段１２，１５，１１，１０，２９と、図書読取手段８にて読み取られた図書識別情報及びコンテナ読取手段２３にて読み取られたコンテナ識別情報に基づいて記憶手段２８に記憶される図書識別情報及びコンテナ識別情報の対応付けの点検作業を行う点検制御手段２８，２９と、を備える。【選択図】図４
2012036001.tif 000002
【特許請求の範囲】
【請求項１】
複数の図書を収容した複数のコンテナが書庫に保管され、該複数の図書には、各図書を識別可能な図書識別情報が付与されるとともに、該複数のコンテナには、各コンテナを識別可能なコンテナ識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、前記図書識別情報と前記コンテナ識別情報とを対応付けて記憶する記憶手段と、前記図書における前記図書識別情報が記録された図書識別情報記録部を読み取る図書読取手段と、前記コンテナにおける前記コンテナ識別情報が記録されたコンテナ識別情報記録部を読み取るコンテナ読取手段と、点検作業の対象となる図書が収容されたコンテナを該点検作業のために前記書庫から前記図書読取手段及び前記コンテナ読取手段まで搬送する点検搬送手段と、前記図書読取手段にて読み取られた図書識別情報及び前記コンテナ読取手段にて読み取られたコンテナ識別情報に基づいて前記記憶手段に記憶される前記図書識別情報及び前記コンテナ識別情報の対応付けの点検作業を行う点検制御手段と、を備えることを特徴とする図書保管管理システム。
【請求項２】
前記記憶手段は、前記コンテナの前記書庫内の保管位置または入出庫履歴である保管情報と前記コンテナ識別情報とを対応付けて記憶するようになっており、前記管理装置は、前記複数のコンテナのうち、前記点検作業の対象となるコンテナの前記保管情報の条件を指定する点検条件指定手段をさらに備えることを特徴とする請求項１に記載の図書保管管理システム。
【請求項３】
前記管理装置は、前記点検制御手段にて点検されたコンテナのうち、前記図書読取手段にて読み取られた図書識別情報及び前記コンテナ読取手段にて読み取られたコンテナ識別情報と、前記記憶手段に記憶される前記コンテナ識別情報及び前記図書識別情報と、が不整合状態のコンテナがある場合に、該不整合状態のコンテナのコンテナ識別情報と、該不整合状態であることを識別する不整合情報と、を対応付けて前記記憶手段に記憶させる制御を行うことを特徴とする請求項１または２に記載の図書保管管理システム。
【請求項４】
前記管理装置は、前記点検制御手段にて点検されたコンテナのうち、前記図書読取手段にて読み取られた図書識別情報及び前記コンテナ読取手段にて読み取られたコンテナ識別情報と、前記記憶手段に記憶される前記コンテナ識別情報及び前記図書識別情報と、が不整合状態のコンテナがある場合に、該不整合状態のコンテナを前記点検制御手段に再び点検作業をさせる制御を行うことを特徴とする請求項１ないし３のいずれかに記載の図書保管管理システム。
【請求項５】
前記管理装置は、少なくとも一部の図書を前記点検作業の対象から除外する図書点検除外手段をさらに備えることを特徴とする請求項１ないし４のいずれかに記載の図書保管管理システム。
【請求項６】
前記管理装置は、少なくとも一部のコンテナを前記点検作業の対象から除外するコンテナ点検除外手段をさらに備えることを特徴とする請求項１ないし５のいずれかに記載の図書保管管理システム。
【発明の詳細な説明】
【技術分野】
【０００１】
本発明は、管理装置の指令に基づき、書庫に保管されている複数のコンテナの中から、目的の図書を収容するコンテナを取り出してステーションに搬送するとともに、コンテナを図書の貸し出しまたは返却作業後にステーションから書庫に搬送する図書保管管理システムに関する。
【背景技術】
【０００２】
従来の図書保管管理システムにおいては、書庫に保管されている多量のコンテナ内の図書の点検作業は、点検作業モードにて点検作業箇所にコンテナを出庫し、出庫されたコンテナ内の図書を作業者が手作業にて点検をしている（例えば、特許文献１参照）。また、撮像手段によりコンテナに収容された図書を撮像し、この映像情報を作業者が目視にて確認することで図書の点検が行えるものもある（例えば、特許文献２参照）。
【先行技術文献】
【特許文献】
【０００３】
【特許文献１】特許３９７４２８５号公報（第２１〜２２頁、第２６〜２５図）
【特許文献２】特許３２９０４２３号公報（第５〜６頁、第５図）
【発明の概要】
【発明が解決しようとする課題】
【０００４】
しかしながら、特許文献１及び２に記載の図書保管管理システムにあっては、全ての図書の点検作業が作業者の人手によるため、作業者に負担がかかってしまい、多量の図書が保管される大規模な図書館等では、定期的に点検作業を行うことが実質的に困難であるという問題がある。
【０００５】
本発明は、このような問題点に着目してなされたもので、図書の点検作業における作業者の負担を低減させることができる図書保管管理システムを提供することを目的とする。
【課題を解決するための手段】
【０００６】
前記課題を解決するために、本発明の図書保管管理システムは、
複数の図書を収容した複数のコンテナが書庫に保管され、該複数の図書には、各図書を識別可能な図書識別情報が付与されるとともに、該複数のコンテナには、各コンテナを識別可能なコンテナ識別情報が付与されており、管理装置の指令に基づき、前記書庫に保管されている前記複数のコンテナの中から、貸し出しまたは返却作業の対象となる目的の図書を収容するコンテナを取り出してステーションに搬送するとともに、該コンテナを図書の貸し出しまたは返却作業後に前記ステーションから前記書庫に搬送する図書保管管理システムであって、
前記管理装置は、前記図書識別情報と前記コンテナ識別情報とを対応付けて記憶する記憶手段と、前記図書における前記図書識別情報が記録された図書識別情報記録部を読み取る図書読取手段と、前記コンテナにおける前記コンテナ識別情報が記録されたコンテナ識別情報記録部を読み取るコンテナ読取手段と、点検作業の対象となる図書が収容されたコンテナを該点検作業のために前記書庫から前記図書読取手段及び前記コンテナ読取手段まで搬送する点検搬送手段と、前記図書読取手段にて読み取られた図書識別情報及び前記コンテナ読取手段にて読み取られたコンテナ識別情報に基づいて前記記憶手段に記憶される前記図書識別情報及び前記コンテナ識別情報の対応付けの点検作業を行う点検制御手段と、を備えることを特徴としている。
この特徴によれば、図書読取手段及びコンテナ読取手段によって記憶手段に記憶される図書識別情報及びコンテナ識別情報の対応付けの点検作業を自動的に行うことができ、精度の高い点検作業が容易に行えるようになり、かつ図書の点検作業における作業者の負担を低減させることができる。また、点検作業を行う時期を任意に設定することで、例えば、図書館の休館日や夜間等の時期に点検作業を行うように設定すれば、図書を利用する利用者の妨げにならずに済むようになる。
【０００７】
本発明の図書保管管理システムは、
前記記憶手段は、前記コンテナの前記書庫内の保管位置または入出庫履歴である保管情報と前記コンテナ識別情報とを対応付けて記憶するようになっており、前記管理装置は、前記複数のコンテナのうち、前記点検作業の対象となるコンテナの前記保管情報の条件を指定する点検条件指定手段をさらに備えることを特徴としている。
この特徴によれば、多量の図書が保管される大規模な図書館等であっても、定期的に点検作業を行う際に、点検条件指定手段により所定量の図書の点検作業を指定することで、例えば、図書館の休館日や夜間等の時期に点検作業を行う際に、その点検時期に点検作業が終了する範囲内で点検作業を行うことができる。
【０００８】
本発明の図書保管管理システムは、
前記管理装置は、前記点検制御手段にて点検されたコンテナのうち、前記図書読取手段にて読み取られた図書識別情報及び前記コンテナ読取手段にて読み取られたコンテナ識別情報と、前記記憶手段に記憶される前記コンテナ識別情報及び前記図書識別情報と、が不整合状態のコンテナがある場合に、該不整合状態のコンテナのコンテナ識別情報と、該不整合状態であることを識別する不整合情報と、を対応付けて前記記憶手段に記憶させる制御を行うことを特徴としている。
この特徴によれば、作業者は記憶手段を参照することで、不整合状態のコンテナを把握できるようになり、点検制御手段による点検作業の後に、不整合状態のコンテナを呼び出して作業者が目視または手作業で点検作業を行うことができ、作業者は不整合状態のコンテナのみを点検すればよいため、図書の点検作業における作業者の負担を低減させることができる。
【０００９】
本発明の図書保管管理システムは、
前記管理装置は、前記点検制御手段にて点検されたコンテナのうち、前記図書読取手段にて読み取られた図書識別情報及び前記コンテナ読取手段にて読み取られたコンテナ識別情報と、前記記憶手段に記憶される前記コンテナ識別情報及び前記図書識別情報と、が不整合状態のコンテナがある場合に、該不整合状態のコンテナを前記点検制御手段に再び点検作業をさせる制御を行うことを特徴としている。
この特徴によれば、図書読取手段による図書識別情報記録部の読取ミスが生じた場合に、再び図書読取手段による読み取りを行って、読取ミスを補うことができる。
【００１０】
本発明の図書保管管理システムは、
前記管理装置は、少なくとも一部の図書を前記点検作業の対象から除外する図書点検除外手段をさらに備えることを特徴としている。
この特徴によれば、図書点検除外手段により少なくとも一部の図書を点検作業の対象から除外することができ、例えば、図書読取手段による図書識別情報記録部の読取ミスが多い、寸法の薄い図書等の点検作業の邪魔になる図書の点検作業を行わないように設定することができ、点検作業の効率を向上させることができる。
【００１１】
本発明の図書保管管理システムは、
前記管理装置は、少なくとも一部のコンテナを前記点検作業の対象から除外するコンテナ点検除外手段をさらに備えることを特徴としている。
この特徴によれば、コンテナ点検除外手段により少なくとも一部のコンテナを点検作業の対象から除外することができ、点検作業の必要のないコンテナの点検作業が行われずに済むようになり、点検作業の効率を向上させることができる。
【図面の簡単な説明】
【００１２】
【図１】実施例における図書保管管理システムの全体像を示す側面図である。
【図２】ステーションを示す斜視図である。
【図３】ステーションを示す横断平面図である。
【図４】図書保管管理システムの構成を示すブロック図である。
【図５】保管用コンテナを示す図である。
【図６】タッチパネルに表示されるコンテナ入庫メニュー画面を示す図である。
【図７】タッチパネルに表示されるコンテナ呼出画面を示す図である。
【図８】タッチパネルに表示されるコンテナ作業画面を示す図である。
【図９】タッチパネルに表示される蔵書点検メニュー画面を示す図である。
【図１０】タッチパネルに表示されるコンテナ内図書一覧画面を示す図である。
【図１１】タッチパネルに表示される蔵書点検漏れコンテナ呼出画面を示す図である。
【図１２】タッチパネルに表示される蔵書点検漏れコンテナ作業画面を示す図である。
【図１３】図書情報テーブルを示す図である。
【図１４】コンテナ情報テーブルを示す図である。
【図１５】利用者情報テーブルを示す図である。
【発明を実施するための形態】
【００１３】
本発明に係る図書保管管理システムを実施するための形態を実施例に基づいて以下に説明する。
【実施例】
【００１４】
実施例に係る図書保管管理システムにつき、図１から図１５を参照して説明する。以下、図１の紙面左側をステーションの正面側（前方側）とし、図３の紙面下側をステーションの正面側（前方側）として説明する。
【００１５】
図１の符号１は、本発明の適用された図書保管管理システムである。この図書保管管理システム１は、図１に示すように、例えば、図書館にて地上階に設けられ、利用者に公開されている開架書庫２と、図書館の地下階に設けられ、利用者に公開されていない閉架書庫３と、の間に亘って設置されており、閉架書庫３に収容されている図書４を利用者の要求に応じて開架書庫２まで搬送するシステムである。
【００１６】
閉架書庫３には、図書４を収容するための複数の書棚５が配置されている。図４に示すように、これら書棚５には複数の図書４等が収容された複数のコンテナ６が収容されている。
【００１７】
コンテナ６に収容されている図書４には、各図書４毎に固有の図書ＩＤ（図書識別情報）や図書関連情報が記憶されているＲＦＩＤタグ７（図書識別情報記録部）が貼り付けられており、このＲＦＩＤタグ７の図書ＩＤは、後述する図書用タグリーダ８（図書識別情報受付手段，図書読取手段）及び貸出返却用タグリーダ９（図書識別情報受付手段，図書読取手段）によってＩＤ情報を読み取り可能となっている。尚、この図書関連情報とは、各図書４のタイトル、著者、出版社、ページ数等である。
【００１８】
また、本実施例におけるＲＦＩＤタグ７は、内蔵したＩＣチップを非接触方式（無線方式）で、後述する図書用タグリーダ８と貸出返却用タグリーダ９とで読み取らせる公知のパッシブ型のＲＦＩＤタグである。
【００１９】
ここで、図書４をコンテナ６に収容する際のアサイン方式について説明する。本実施例における図書保管管理システム１では、コンテナ６毎に図書４を文学、スポーツ、評論等の分野毎に収容する固定ロケーション方式と、図書４を分野毎に分けずに空きのあるコンテナ６に収容するフリーロケーション方式と、を任意に選択可能になっている。
【００２０】
固定ロケーション方式では、予め所定の図書４を収容するコンテナ６を定めておき、図書４を貸出して返却する際に、再度同じコンテナ６に収容するようになっている。連続小説や関連性のあるひとまとまりの図書４等を固定ロケーション方式で収容しておくことで、貸出しや返却を効率よく行うことができる。
【００２１】
一方、フリーロケーション方式では、閉架書庫３内のコンテナ６の収容位置と、各コンテナ６に収容された図書４の各図書ＩＤと、を対応させて後述する記憶部２８に記憶させておき、図書４の貸出し及び返却が行われる度に記憶部２８の情報を更新するようになっている。空きのあるコンテナ６に任意の図書４を収容することができるため、ステーション１３と閉架書庫３との間でコンテナ６を搬送する回数が固定ロケーション方式と比較して少なくて済むようになる。
【００２２】
また、図５に示すように、多数のコンテナ６のうち、一部のコンテナ６を、図書保管管理システム１のメンテナンス用品（図書ＩＤが付与されていない管理マニュアル等）や、後述する管理者や司書等の利用者の私物等の物品を保管する保管箱として使用することができるようになっている。後述するように、コンテナ６のアサイン方式には、固定ロケーション方式とフリーロケーション方式と合わせて保管箱方式（第２搬送形態）として利用情報をデータベースに登録することができるようになっている。
【００２３】
図１に示すように、図書保管管理システム１は、閉架書庫３にて書棚５から図書４が収容されたコンテナ６を取り出すための複数基のスタッカクレーン１０と、地下階である閉架書庫３と地上階である開架書庫２との間を昇降可能とする搬送エレベータ１１と、を備えている。そして、スタッカクレーン１０によって書棚５から取り出されたコンテナ６は、コンベア１２を介して搬送エレベータ１１に受け渡されるようになっている。
【００２４】
また、図書保管管理システム１は、閉架書庫３からコンテナ６を搬送可能であって、利用者が目的の図書４の貸し出し、若しくは返却を行うことができるステーション１３と、コンテナ６を一時保管するためのロータリーラック１４と、を備えている。搬送エレベータ１１によって地上階まで搬送されたコンテナ６は、コンベア１５を介してステーション１３及びロータリーラック１４まで搬送されるようになっている。尚、本実施例における利用者とは、図書館の司書や、図書館が設置された学校の学生や教授等である。
【００２５】
また、開架書庫２に設けられたステーション１３にて設定された指令に基づき、スタッカクレーン１０は、各書棚５におけるコンテナ６の収容位置まで前後並びに上下方向に自動走行して、コンテナ６の出し入れを行うようになっている。
【００２６】
図２に示すように、ステーション１３の上部には、その内部が中空である中空部１６が形成されている。この中空部１６内には、搬送エレベータ１１側からコンベア１５が延設されており、図書４が収容されているコンテナ６を中空部１６内に搬送可能となっている。
【００２７】
図２及び図３に示すように、コンテナ６の内部は、複数の図書４を収容するための上方が開口する収容空間１７となっている。この収容空間１７は、磁性部材からなる磁性板１８によって正面側と背面側とに分割されており、複数の図書４が前後２列に配置され、背表紙４ａをコンテナ６の正面側または背面側に向けた状態で、かつ図書４の厚み方向である左右方向に並べられた状態で収容されている。
【００２８】
図２及び図３に示すように、ステーション１３の中空部１６内の中央には、コンベア１５に連続して設けられたターンテーブル１９が配設されている。ステーション１３に搬送されたコンテナ６は、このターンテーブル１９上に載置されるようになっている。
【００２９】
尚、ステーション１３の利用者は、後述するタッチパネル２０（表示手段）及びキーボード６８（入力手段）の操作によってターンテーブル１９を回転させてコンテナ６を水平回転させることができる。そのため、コンテナ６は、その正面側及び背面側のいずれの側も利用者側に向けることができるようになり、コンテナ６の正面側及び背面側の両側に図書４を収容しておくことができ、コンテナ６内のスペースを有効利用できる。
【００３０】
そして、ステーション１３の上部正面側には、左右方向に中空部１６を開閉自在なスライド扉２１が取り付けられており、利用者は、このスライド扉２１を開放することによって中空部１６に搬送されてきたコンテナ６から図書４を取り出せるようになっている。
【００３１】
また、コンテナ６の正面側と背面側の外面には、左右方向の略中央部に各コンテナ６を識別可能なバーコード部２２（コンテナ識別情報記録部）が設けられている。尚、このバーコード部２２には、各コンテナ６を識別できる固有のコンテナＩＤ（コンテナ識別情報）や前後のいずれの側かを示す情報が含まれた情報が書き込まれている。
【００３２】
図３に示すように、ステーション１３の中空部１６内の上流側と下流側には、コンベア１５の正面側と背面側の両側に、コンテナ６に収容されている図書４のＲＦＩＤタグ７から識別情報を読み取るための図書用タグリーダ８と、コンテナ６に取り付けられたバーコード部２２からコンテナＩＤ等の情報を読み取るためのバーコードリーダ２３（コンテナ識別情報受付手段，コンテナ読取手段）と、が取り付けられている。
【００３３】
また、コンベア１５は、搬送エレベータ１１側からステーション１３の中空部１６内に延設されているとともに、中空部１６内から更に搬送エレベータ１１側に延設されている平面視でＵ字状に形成されている。コンテナ６は、ステーション１３において紙面右側から紙面左側へと一方通行に搬送されるようになっており、図書用タグリーダ８及びバーコードリーダ２３は、ステーション１３の上流側及び下流側にそれぞれ設けられている。
【００３４】
また、同様のバーコードリーダ２３が開架書庫２におけるステーション１３外のコンベア１５及び閉架書庫３におけるコンベア１２近傍にも複数箇所に取り付けられている。コンテナ６のバーコード部２２がコンベア１２，１５に設けられたバーコードリーダ２３で読み取られることにより、各コンテナ６の搬送経路における現在位置情報などを後述する管理装置２４が把握することができるようになっている。
【００３５】
尚、前述のロータリーラック１４は、内部に複数のコンテナ６を収容可能となっており、後述するコンテナ呼出処理によって閉架書庫３からステーション１３に呼び出されたコンテナ６が複数ある場合などにコンテナ６をロータリーラック１４に待機させることができるようになっている。
【００３６】
搬送エレベータ１１を介して地上階に搬送された複数のコンテナ６がロータリーラック１４に一時保管された後、コンテナ６は所定の順序でロータリーラック１４から運び出される。そして、ロータリーラック１４から運び出されたコンテナ６は、平面視で右側のコンベア１５から中央のステーション１３に搬送され、ステーション１３での処理が終わったコンテナ６は、左側のコンベア１５に載せられて再び搬送エレベータ１１によって地下階の閉架書庫３へと搬送されるようになっている。
【００３７】
図２に示すように、ステーション１３の正面側には、利用者がコンテナ６から取り出した図書４を載置するための天板２５が設けられている。この天板２５上には、ステーション１３を利用する利用者に対して、図書４の貸し出し及び返却作業の指示を行うためのタッチパネル２０が設けられている。このタッチパネル２０は、利用者が直接指等を接触させて操作可能になっている。
【００３８】
また、天板２５には、図書４のＲＦＩＤタグ７から識別情報を読み取るための貸出返却用タグリーダ９が埋設されている。更に、特に図示しないが、ステーション１３には、図書館の利用者が所有するＩＣカード２６から利用者の利用者ＩＤ（利用者識別情報）を読取可能なカードリーダ２７（利用者識別情報受付手段）が設けられている。尚、このＩＣカード２６には、ＲＦＩＤタグが内蔵され、固有の利用者ＩＤが記憶されている。
【００３９】
一方、図書館の管理室（図示略）等には、図４に示すように、閉架書庫３からの図書４の貸し出し及び返却を管理する管理装置２４が設けられている。この管理装置２４は、図１３〜図１５に示す図書情報テーブルとコンテナ情報テーブルと利用者情報テーブルが記憶されている記憶部２８（記憶手段）と、管理装置２４内で各種制御を行う制御部２９と、から構成されている。
【００４０】
この制御部２９には、ステーション１３のバーコードリーダ２３と、図書用タグリーダ８と、貸出返却用タグリーダ９と、ターンテーブル１９と、タッチパネル２０と、キーボード６８と、カードリーダ２７と、が接続されている。また、制御部２９には、コンベア１５と、ロータリーラック１４と、バーコードリーダ２３と、が接続されている。尚、本実施例における図書保管管理システム１には複数のステーション１３が設けられており、管理装置２４は、各ステーション１３とそれぞれ接続されている。
【００４１】
更に、制御部２９には、閉架書庫３のコンベア１２と、スタッカクレーンと、搬送エレベータ１１と、バーコードリーダ２３と、が接続されている。尚、制御部２９は、ＬＡＮ回線等の通信回線３０を介して図書館内部または図書館外部の複数の予約端末３１に接続されている。例えば図書館の利用者は、予約端末３１から管理装置２４に対して所望の図書４の貸出予約を行うことができるようになっている。
【００４２】
図１３に示すように、記憶部２８に記憶されている図書情報テーブルには、図書４の図書ＩＤに対して、図書４のタイトルと、巻号、年月次、厚さと、この図書４が収容されるべきコンテナ６の正コンテナＩＤと、コンテナ６内における図書４の所在を示す配置位置と、後述する蔵書点検作業を行うか否かを図書４毎に指定するチェック要否と、蔵書点検作業の結果を示す照合結果と、照合結果が不良（不整合状態）であった場合にその理由が登録される照合不良情報（不整合情報）と、図書４が現在収容されているコンテナ６のコンテナＩＤが登録される現コンテナＩＤと、が対応付けられて記憶される。
【００４３】
このうち、コンテナ６内の図書４の配置位置は、コンテナ６の前後をＡ及びＢとして登録し、それぞれの側を正面側としたときの左右方向の位置を本実施例では３分割して左側、中央部、右側の位置を１〜３で登録するようにしている。すなわち、配置位置がＢ−２とあるのは、Ｂ側の中央部に図書４が収容されている、ということを示している。
【００４４】
図１４に示すように、記憶部２８に記憶されているコンテナ情報テーブルには、コンテナ６のコンテナＩＤに対して、固定、フリー、保管箱などのロケーション方式を示すアサイン方式と、コンテナ６が閉架書庫３内のいずれの書棚５にあるかを示すロケーション（保管位置）と、貸し出しまたは返却によって入出庫が行われた最新の日付を示す入出庫日付（入出庫履歴）と、蔵書点検作業を行うか否かをコンテナ６毎に指定するチェック要否と、各コンテナ６の前後のいずれかをＡ及びＢで示す前後位置と、図書保管管理システム１の管理者や図書館の司書が自由に入力することができるメモと、蔵書点検作業の結果を示す照合結果と、照合結果が不良であった場合にその理由が登録される照合不良情報（不整合情報）と、からなるコンテナ関連情報が関連付けて記憶されている。尚、コンテナ情報テーブルのロケーションと入出庫日付とにより本実施例における保管情報が構成されている。
【００４５】
図１５に示すように、記憶部２８に記憶されている利用者情報テーブルには、利用者が図書館を利用するために図書館に登録した固有の利用者ＩＤと利用者が貸し出しを行う図書４の図書ＩＤとに対して、貸出予定日が関連付けて記憶されている。制御部２９が予約端末３１から貸出予約を受けると、制御部２９は、予約を行った利用者の利用者ＩＤと予約がされた図書ＩＤと貸出予定日を利用者情報テーブルに記憶させるようになっている。更に、利用者ＩＤに対して所定のアクセス権限の有無も登録されている。
【００４６】
図書４の貸し出し及び返却について説明すると、例えば図書保管管理システム１を備える図書館が設置された学校の学生が予約端末３１によって図書４の貸出予約または返却予約を行い、学生が所有するＩＣカード２６を用いて図書館の司書がステーション１３で図書４の貸し出しまたは返却作業を行うことができるようになっている。
【００４７】
次に、利用者が図書４や私物を収容するために、新たなコンテナ６を閉架書庫３に入庫させるコンテナ入庫処理について説明する。尚、コンテナ入庫処理を行うことができる利用者は、アクセス権限を有する管理者や司書などに限られている。
【００４８】
予め管理者（特定利用者）や司書（特定利用者）の利用者ＩＤの利用者情報テーブルにおけるアクセス権限は「有」と登録されており、学生（一般利用者）の利用者ＩＤの利用者情報テーブルにおけるアクセス権限は初期値（「無」）となっている。
【００４９】
ステーション１３において、司書が所有するＩＣカード２６をカードリーダ２７にかざすと、ＩＣカード２６に内蔵されたＲＦＩＤタグ７に記憶されている固有の利用者ＩＤが読み取られる。管理装置２４の制御部２９は、カードリーダ２７が読み取った利用者ＩＤに基づいて、図１１に示す利用者情報テーブルを参照し、アクセス権限が「有」の場合には、図示しない管理者メニュー画面をタッチパネル２０に表示する。管理者メニュー画面にはコンテナ入庫メニューへ進むボタンが表示されるようになっており、司書がそのボタンを押すと、制御部２９は、図６に示すコンテナ入庫メニュー画面をタッチパネル２０に表示する。
【００５０】
また、もし学生等のアクセス権限のない利用者がＩＣカード２６をカードリーダ２７にかざした場合には、管理者メニュー画面は表示されないため、コンテナ入庫メニュー画面で保管箱方式のコンテナ６を呼び出すことはできないようになっている。このようにすることで、一般利用者が保管箱方式のコンテナ６に不用意にアクセスできないように制限することができる。
【００５１】
図６に示すように、制御部２９は、コンテナ入庫メニュー画面に、「固定」ボタン４３と「フリー」ボタン４４と「保管箱」ボタン４５と「ラインアウト」ボタン４６を表示し、いずれかのボタンを選択する旨の指示を表示する。司書が入庫するコンテナ６のアサイン方式を固定ロケーション方式で保管する場合には「固定」ボタン４３を選択し、フリーロケーション方式で保管する場合には「フリー」ボタン４４を選択し、保管箱方式で保管する場合には、「保管箱」ボタン４５を選択して入庫させる。
【００５２】
司書がステーション１３において、バーコード部２２を貼り付けたコンテナ６を載置し、タッチパネル２０に表示された「固定」または「フリー」または「保管箱」ボタン４３，４４，４５のうち、所望の方式のボタンを押すと、制御部２９は、コンテナチェック処理を行う。
【００５３】
具体的には、制御部２９は、ステーション１３の下流側にコンテナ６を搬送し、ステーション１３の下流側に設けられたバーコードリーダ２３によって、コンテナ６に貼り付けられたバーコード部２２を読み取り、バーコード部２２に含まれるコンテナＩＤに基づいて、コンテナ情報テーブルに登録されている情報を照合する。尚、本発明における点検搬送手段は、コンベア１２，１５、搬送エレベータ１１、スタッカクレーン１０、制御部２９から構成されており、点検制御手段は、記憶部２８，制御部２９から構成されている。
【００５４】
制御部２９は、バーコード部２２から読み取ったコンテナＩＤがコンテナ情報テーブルに既に登録済である重複エラーとなったり、コンテナＩＤが読み取れなかった場合には、タッチパネル２０にエラーメッセージを表示し、司書にエラー内容の確認を行い、作業をやり直す旨の表示を行う。
【００５５】
コンテナチェック処理の結果、エラーがない場合またはエラーが解消された場合には、制御部２９は、コンテナ６をステーション１３からコンベア１２，１５や搬送エレベータ１１やスタッカクレーン１０によって閉架書庫３の書棚５に戻す処理を行うとともに、読み取ったコンテナＩＤの情報をコンテナ情報テーブルに登録する。
【００５６】
尚、司書が「ラインアウト」ボタン４６を押すことによってコンテナ６をステーション１３から取り除くことができるようになっており、「ラインアウト」ボタン４６が押されると、制御部２９は、そのコンテナ６の入庫を行わず、コンテナ入庫メニューの初期状態に戻す処理を行う。
【００５７】
このように、司書はコンテナ６毎にアサイン方式を適宜選択可能となっており、コンテナ情報テーブルには各コンテナ６のコンテナＩＤに基づいてアサイン方式が登録されるため、例えば後述するコンテナ呼出処理において、保管箱方式のコンテナ６をステーション１３に呼び出す場合にアサイン方式を指定することによって、保管箱方式のコンテナ６を呼び出すことができるようになっている。
【００５８】
次に、利用者が図書４等をコンテナ６に収容する際に、閉架書庫３からステーション１３にコンテナ６を搬送するコンテナ呼出処理について、図７と図８を参照して説明する。先ず、ステーション１３において、司書が所有するＩＣカード２６をカードリーダ２７にかざすと、制御部２９は、利用者情報テーブルのアクセス権限を参照し、前述のコンテナ入庫処理の際と同様に管理者メニュー画面を表示する。管理者メニュー画面にはコンテナ呼出メニューへ進むボタンが表示されるようになっており、司書がそのボタンを押すと、制御部２９は、図７に示すコンテナ呼出メニュー画面をタッチパネル２０に表示する。
【００５９】
図７に示すように、コンテナ呼出メニュー画面の上部側には、コンテナＩＤを入力可能なコンテナＩＤ入力部４７と、空のコンテナ６を選択する空コンテナボタン４８と、アサイン方式を固定、フリー、保管箱方式から選択するアサイン方式ボタン４９と、検索ボタン５０と、コンテナ呼出ボタン５１と、が表示される。
【００６０】
司書は、呼び出したいコンテナ６のコンテナＩＤが予め分かっている場合にはコンテナＩＤ入力部４７にコンテナＩＤを入力し、空のコンテナ６を呼び出したいときは空コンテナボタン４８を選択し、いずれのアサイン方式のコンテナ６を呼び出すかを固定、フリー、保管箱方式の３つのアサイン方式ボタン４９から選択できるようになっている。
【００６１】
司書が、所望の検索内容を入力及び選択し、タッチパネル２０に表示された検索ボタン５０を押すと、制御部２９は、それらの情報を基にコンテナ情報テーブルを参照する。例えばコンテナＩＤ入力部４７にコンテナＩＤが入力された場合には、制御部２９は、そのコンテナＩＤを基にコンテナ情報テーブル正コンテナＩＤに対応する登録情報を参照して取得した前後位置、アサイン方式、メモ等のコンテナ関連情報を、コンテナ呼出メニュー画面の下部側にリスト表示する。
【００６２】
尚、コンテナ呼出メニュー画面には、詳細ボタンと取消ボタンが表示されている。詳細ボタンを押すと、そのコンテナ６に収容されている図書４等の詳細情報が表示され、取消ボタンを押すと、タッチパネル２０のリストからそのコンテナ６の情報が非表示となり、コンテナ呼出を行わないように変更することができる。
【００６３】
本実施例では、司書がメンテナンス用品や私物等の物品を保管する際に、保管箱方式のコンテナ６を呼び出すものとして説明する。司書が保管箱のアサイン方式ボタン４９を選択して検索ボタン５０を押すと、制御部２９は、コンテナ情報テーブルを参照してアサイン方式が保管箱であるコンテナ６のコンテナＩＤやコンテナ関連情報を、コンテナ呼出メニュー画面の下部側にリスト表示する。
【００６４】
そして、司書が表示されたリストを確認してタッチパネル２０に表示されたコンテナ呼出ボタン５１を押すと、制御部２９は、リスト表示されたコンテナ６を閉架書庫３からステーション１３に搬送する処理を行う。具体的には、制御部２９は、スタッカクレーン１０によってコンテナ６を取り出し、取り出したコンテナ６をコンベア１２，１５や搬送エレベータ１１によってステーション１３に搬送させる。
【００６５】
尚、コンテナ６にはバーコード部２２が設けられており、搬送経路の所定の複数箇所に設置されたバーコードリーダ２３によってコンテナ６のコンテナＩＤが読み取られる。制御部２９は、バーコードリーダ２３が読み取ったコンテナＩＤを基に、読み取りを行ったバーコードリーダ２３の位置から各コンテナ６の現在位置情報を把握することができるようになっている。
【００６６】
前述したようにステーション１３にもバーコードリーダ２３が設置されており、制御部２９は、ステーション１３のバーコードリーダ２３が読み取ったコンテナＩＤを基に、コンテナ６がステーション１３に搬送されたことを把握する。また、このときステーション１３の上流側に設けられた図書用タグリーダ８によってコンテナ６内の図書４のＲＦＩＤタグ７が読み取られ、制御部２９は、図書情報テーブルに登録されている内容と照合して確認する確認処理を行う。コンテナ６がステーション１３に到着すると、制御部２９によって、図８に示すコンテナ作業画面に切り替えられる。
【００６７】
尚、呼び出されたコンテナ６が複数ある場合には、前述したロータリーラック１４に一時保管され、先にステーション１３に搬送されたコンテナ６の作業が終了すると、順次ステーション１３に搬送されるようになっている。
【００６８】
コンテナ６のバーコード部２２には、Ａ側であるかＢ側であるかを示す前後情報が含まれており、制御部２９は、ステーション１３に搬送されたコンテナ６のバーコード部２２の情報からコンテナ６の前後方向を判断し、ステーション１３内で正面側となっている側がＡ側かＢ側であるかを判定する。
【００６９】
図８に示すように、制御部２９は、コンテナＩＤ、アサイン方式、前後方向を判断した前後情報等のコンテナ関連情報をコンテナ作業画面の画面上部側に表示するとともに、画面右部にはコンテナ回転ボタン５２を表示し、画面中央部にはコンテナ戻しボタン５３を表示する。
【００７０】
司書は、タッチパネル２０の表示画面がコンテナ作業画面に切り替わったことでステーション１３にコンテナ６が到着したことを認識でき、司書がステーション１３のスライド扉２１を開放してコンテナ６に私物等の物品を収容することができる。また、画面下部には、コンテナ６の情報を入力できるメモ入力部５４が表示されており、司書は、コンテナ６に収容した物品等に関するメモ情報を、キーボード６８を用いてメモ入力部５４に登録することができるようになっている。
【００７１】
また、コンテナ作業画面には、そのコンテナ６に対して蔵書点検作業を行うか否かを設定するコンテナ単位チェック対象のチェックボックス５５が表示され、「チェックする」と「チェックしない」とが選択可能になっている。
【００７２】
司書がコンテナ戻しボタン５３を押すと、制御部２９は、前述したコンテナ入庫処理の際と同様に、コンテナチェック処理を行い、コンテナ６をステーション１３からコンベア１２，１５や搬送エレベータ１１やスタッカクレーン１０によって閉架書庫３の書棚５に戻す処理を行うとともに、コンテナ情報テーブルの更新処理を行う。
【００７３】
具体的には、チェックボックス５５において「チェックしない」が選択された場合には、制御部２９は、閉架書庫３に搬送させるコンテナ６のコンテナＩＤに対応するチェック要否に「不要」を登録し、コンテナ作業画面でメモ入力部５４に入力された情報をコンテナＩＤに対応するメモの項目に登録する。
【００７４】
尚、司書がコンテナ作業画面に表示されたコンテナ回転ボタン５２を押すと、制御部２９によって、ターンテーブル１９が回転し、コンテナ６の向きが１８０度回転される。ターンテーブル１９の回転が完了すると、制御部２９は、コンテナ作業画面において、正面側となったコンテナ６の情報を表示する。これにより、コンテナ６の正面側と背面側の収容空間１７に対してそれぞれ物品を収容したり情報を入力したりできる。
【００７５】
このように、コンテナ作業場面において保管箱方式のコンテナ６を後述する蔵書点検作業の対象から除外することができるため、図書４を収容しない保管箱方式のコンテナ６の蔵書点検作業が行われずに済み、蔵書点検作業の効率を向上させることができる。尚、本発明における点検制御手段は、記憶部２８と制御部２９とから構成されている。また、図書点検除外手段及びコンテナ点検除外手段は、タッチパネル２０と記憶部２８と制御部２９とから構成されている。
【００７６】
次に、蔵書点検作業について、図９と図１０を参照して説明する。本実施例における図書保管管理システム１においては、図書情報テーブルの登録内容と実際の図書４の配置に差異が生じていないかを点検する蔵書点検作業を行うことができるようになっている。また、この蔵書点検作業は、予め所定の設定をしておくことで、図書館の休館日や夜間等の図書館の利用者が居ない時期に自動的に行うことができる。更に、蔵書点検作業時にコンテナ６が収容される閉架書庫３のロケーションの範囲やコンテナ６の入出庫日付の範囲を指定しておくことができる。
【００７７】
先ず、ステーション１３において、司書が所有するＩＣカード２６をカードリーダ２７にかざすと、制御部２９は、利用者情報テーブルのアクセス権限を参照し、前述のコンテナ入庫処理の際と同様にタッチパネル２０に管理者メニュー画面を表示する。管理者メニュー画面には蔵書点検メニューへ進むボタンが表示されるようになっており、司書がそのボタンを押すと、制御部２９は、蔵書点検メニュー画面を表示し、更にロケーション範囲指定または入出庫日付範囲指定のいずれかの範囲指定で蔵書点検を行うか選択させる。
【００７８】
司書がロケーション範囲指定を選択すると、制御部２９は、図９に示す蔵書点検メニュー画面をタッチパネル２０に表示する。図９に示すように、蔵書点検メニュー画面には、コンテナ６が収容されている閉架書庫３の場所を示すロケーションを入力するロケーション入力部５６が設けられており、コンテナ６のロケーションを範囲指定して蔵書点検ボタン５７を押すと蔵書点検を行うことができるようになっている。
【００７９】
司書がロケーション入力部５６に蔵書点検を行いたい閉架書庫３におけるコンテナ６のロケーションを入力して検索ボタン５８を押すと、制御部２９は、ロケーション入力部５６に入力されたロケーションの範囲を基に、コンテナ情報テーブルを参照し、入力されたロケーションの範囲内にあり、かつチェック要否が「要」であるコンテナ６の正コンテナＩＤを特定し、コンテナ関連情報を取得し、画面右部側にコンテナＩＤとロケーションとをリスト表示する。
【００８０】
蔵書点検メニュー画面には、詳細ボタンが表示されており、司書がこの詳細ボタンを押すと、制御部２９は、図１０に示すコンテナ内図書一覧画面を表示する。図１０に示すように、制御部２９は、コンテナＩＤ、アサイン方式、前後方向を判断した前後情報等のコンテナ関連情報をコンテナ内図書一覧画面の画面上部に表示するとともに、画面中央から下部には、そのコンテナ６に収容されている図書４のタイトル、巻号、年月次、厚さ等の情報をリスト表示する。
【００８１】
コンテナ内図書一覧画面には、その図書４に対して蔵書点検作業を行うか否かを設定する図書単位チェック対象のチェックボックス５９が表示され、「チェックする」と「チェックしない」とが選択可能になっている。司書が「チェックする」または「チェックしない」のいずれかを選択して更新ボタン６０を押すと、制御部２９は、その図書４の図書情報テーブルのチェック要否を更新するようになっている。
【００８２】
例えば、図書４の厚さが薄い図書４に図書４に貼り付けられたＲＦＩＤタグ７は、図書用タグリーダ８によって読み取れないことがあり、蔵書点検作業の度に照合不良となっては効率が悪いため、予め「チェックしない」として図書情報テーブルのチェック要否を「不要」にして蔵書点検作業の対象から除外することにより、蔵書点検作業の邪魔になる図書４の蔵書点検作業を行わないように設定することができ、蔵書点検作業の効率を向上させることができる。尚、本発明における図書点検除外手段は、タッチパネル２０と記憶部２８と制御部２９とから構成されている。タッチパネル２０と記憶部２８と制御部２９とから構成されている。
【００８３】
また、コンテナ内図書一覧画面には、そのコンテナ６に対して蔵書点検作業を行うか否かを設定するコンテナ単位チェック対象のチェックボックス６１が表示され、「チェックする」と「チェックしない」とが選択可能になっている。現在表示されているコンテナ６が蔵書点検作業を必要としない場合には、司書が「チェックしない」を選択して更新ボタン６０を押すと、制御部２９は、そのコンテナ６のコンテナ情報テーブルのチェック要否を「不要」に更新する処理を行う。
【００８４】
これにより、コンテナ６を蔵書点検作業の対象から除外することができ、蔵書点検作業の必要のないコンテナ６の蔵書点検作業が行われずに済み、蔵書点検作業の効率を向上させることができるようになっている。
【００８５】
そして、コンテナ内図書一覧画面の右上部に表示されている戻るボタン６２を押すと、制御部２９によって、図９に示す蔵書点検メニュー画面に切り替わる。司書が蔵書点検ボタン５７を押すと、制御部２９は、コンテナ６をステーション１３に搬送し、蔵書点検処理を行う。尚、制御部２９は、蔵書点検作業を行うコンテナＩＤを基に図書情報テーブルを参照し、照合結果を予め初期値に更新する処理を行う。
【００８６】
制御部２９は、スタッカクレーン１０によってコンテナ６を取り出し、取り出したコンテナ６をコンベア１２と、搬送エレベータ１１と、コンベア１５と、によってステーション１３に搬送させる。そして、ステーション１３におけるバーコードリーダ２３によって、コンテナ６に貼り付けられたバーコード部２２を読み取り、制御部２９は、バーコード部２２に含まれるコンテナＩＤを取得する。
【００８７】
尚、呼び出されたコンテナ６が複数ある場合には、前述したロータリーラック１４に一時保管され、先にステーション１３に搬送されたコンテナ６の蔵書点検作業が終了すると、順次ステーション１３に搬送されるようになっている。
【００８８】
尚、前述したように、コンテナ６のバーコード部２２には、Ａ側であるかＢ側であるかを示す前後情報が含まれており、制御部２９は、ステーション１３に搬送されたコンテナ６のバーコード部２２の情報からコンテナ６の前後方向を判断し、ステーション１３内で正面側となっている側がＡ側かＢ側であるかを判定できるようになっている。
【００８９】
そして、図書用タグリーダ８によって、コンテナ６内に収容されている図書４のＲＦＩＤタグ７を読み取り、制御部２９は、コンテナ６内の図書４の図書ＩＤを基に図書情報テーブルに登録されている情報を照合する図書チェック処理を行う。
【００９０】
尚、図書チェック処理の結果、図書４のＲＦＩＤタグ７が読み取れなかったり照合不良となったりした場合には、制御部２９は、コンベア１５を制御し、コンテナ６を通常の搬送方向と逆方向に搬送して上流側の図書用タグリーダ８の手前まで戻す処理を行う。そして、制御部２９は、図書用タグリーダ８によってコンテナ６内の図書４のＲＦＩＤタグ７を読み取らせ、再び照合する処理を行う。このように、ＲＦＩＤタグ７の再読取作業を行うことによって、図書チェック処理における読取精度を向上させることができる。更に尚、この再読取作業の回数は任意に設定できるようになっている。所定回数再読取作業を行っても照合不良が解消されない場合には後述の処理を行う。
【００９１】
具体的には、制御部２９は、図書用タグリーダ８によって読み取った図書４のＲＦＩＤタグ７に含まれる図書ＩＤを基に図書情報テーブルを参照し、図書ＩＤに対応付けて登録されているコンテナＩＤと、バーコード部２２から取得したコンテナＩＤとを比較し、異なる場合には、その図書４の図書ＩＤに対応する図書情報テーブルの照合結果を「ＮＧ」に更新し、照合不良情報を「過剰」に更新するとともに、現コンテナＩＤにバーコード部２２から取得したコンテナＩＤを設定する処理を行う。尚、蔵書点検作業において照合不良となった図書４が１冊でもあった場合には、制御部２９は、コンテナ情報テーブルの照合結果を「ＮＧ」に更新する処理を行う。
【００９２】
また、制御部２９は、図書用タグリーダ８によって読み取った図書４がＡ側またはＢ側のいずれの配置位置であるかを判断し、その図書ＩＤを基に図書情報テーブルを参照し、図書ＩＤに対応付けて登録されている配置位置が正しいかを判定する処理を行う。図書情報テーブルに登録されているコンテナＩＤが正しい場合に、例えば、図書情報テーブルの配置位置がＡ側であるが、実際にはコンテナ６のＢ側に図書４が配置されていると判定した場合には、制御部２９は、その図書４の図書ＩＤに対応する図書情報テーブルの照合結果を「ＮＧ」に更新するとともに、照合不良情報を「前後違い」に更新する処理を行う。
【００９３】
また、図書用タグリーダ８で読み取った図書ＩＤが図書情報テーブルに存在しない場合には、コンテナ情報テーブルの照合不良情報を「該当外」に更新する処理を行う。図書チェック処理の結果、正常であった場合には、その図書４の図書ＩＤに対応する図書情報テーブルの照合結果を「ＯＫ」に更新する。
【００９４】
また、コンテナ６に収容されている全ての図書４の図書ＩＤを読み取り、照合処理が終わると、制御部２９は、バーコード部２２から取得したコンテナＩＤを基に図書情報テーブルを参照し、図書情報テーブルのチェック要否が要で、かつ照合結果が初期値である図書ＩＤの照合結果を「ＮＧ」に更新するとともに、照合不良情報を「不足」に更新する。
【００９５】
そして、図書チェック処理が完了すると、制御部２９は、コンテナ６を閉架書庫３からステーション１３に搬送する処理を行う。具体的には、制御部２９は、スタッカクレーン１０によってコンテナ６を取り出し、取り出したコンテナ６をコンベア１２，１５や搬送エレベータ１１によって閉架書庫３の書棚５に戻す処理を行う。
【００９６】
続いて、蔵書点検メニュー画面で指定されて蔵書点検作業の対象となったコンテナ６がまだほかにある場合には、ロータリーラック１４から順次ステーション１３に搬送され、コンテナ６内の図書４のチェック処理が行われる。蔵書点検作業の対象の全てのコンテナ６の点検作業が終了すると、蔵書点検作業が完了する。
【００９７】
尚、ロケーションの範囲を指定するほかに、コンテナ６が貸し出しまたは返却によって入出庫が行われた最新の日付を示す入出庫日付の範囲を指定して蔵書点検を行うこともできる。その際には、司書は前述の蔵書点検メニュー画面において入出庫日付範囲指定を選択することにより、制御部２９によって入出庫日付を範囲指定できる画面に切り替わる。司書が入出庫日付の範囲を入力すると、制御部２９は、コンテナ情報テーブルを参照してその範囲内にあるコンテナ６のコンテナＩＤを特定し、蔵書点検作業を行う。
【００９８】
更に尚、蔵書点検作業を図書館の休館日や夜間等の時期に行う条件を適宜指定可能にすることで、その点検時期に蔵書点検作業が終了する範囲内で蔵書点検作業を行うことができるようになる。尚、本発明における点検条件指定手段は、タッチパネル２０と記憶部２８と制御部２９とから構成されている。
【００９９】
次に、蔵書点検作業によって照合不良が発見された図書を確認する蔵書点検漏れ確認作業について、図１１と図１２を参照して説明する。司書は、予め前述した蔵書点検作業が行われて照合不良となっているコンテナ６をステーション１３に呼び出して手作業または目視で確認作業を行うことができるようになっている。
【０１００】
先ず、ステーション１３において、司書が所有するＩＣカード２６をカードリーダ２７にかざすと、制御部２９は、利用者情報テーブルのアクセス権限を参照し、前述のコンテナ入庫処理の際と同様にタッチパネル２０に管理者メニュー画面を表示する。管理者メニュー画面には蔵書点検メニューへ進むボタンが表示されるようになっており、司書がそのボタンを押すと、制御部２９は、図示しない蔵書点検メニュー画面を表示し、更に点検漏れ確認ボタンを表示する。司書がそのボタンを押すと、制御部２９は、図１１に示す蔵書点検漏れコンテナ呼出画面を表示する。
【０１０１】
図１１に示すように、蔵書点検漏れコンテナ呼出画面には、前回蔵書点検作業を行った条件が表示されるようになっており、本実施例ではロケーション範囲が表示されている。司書が検索ボタン６３を押すと、制御部２９は、コンテナ情報テーブルを参照し、照合結果に「ＮＧ」が登録されているコンテナＩＤを特定し、コンテナＩＤとそのコンテナ６と対応する照合不良となった図書４の冊数を画面右部にリスト表示する。
【０１０２】
司書が画面左下に表示されているコンテナ呼出ボタン６４を押すと、制御部２９は、リスト表示されたコンテナ６を閉架書庫３からステーション１３に搬送する処理を行う。そして、ステーション１３に設けられたバーコードリーダ２３によってコンテナ６のバーコード部２２が読み取られ、コンテナ６がステーション１３に到着すると、制御部２９によって、図１２に示す蔵書点検漏れコンテナ作業画面に切り替えられる。
【０１０３】
尚、呼び出されたコンテナ６が複数ある場合には、前述したロータリーラック１４に一時保管され、先にステーション１３に搬送されたコンテナ６の作業が終了すると、順次ステーション１３に搬送されるようになっている。
【０１０４】
図１２に示すように、制御部２９は、ステーション１３に到着したコンテナ６のコンテナＩＤ、アサイン方式、前後方向を判断した前後情報等のコンテナ関連情報を蔵書点検漏れコンテナ作業画面の画面上部に表示するとともに、画面右部にはコンテナ回転ボタン６５を表示し、画面中央部にはコンテナ戻しボタン６６を表示する。
【０１０５】
また、制御部２９は、画面中央から下部には、そのコンテナ６の蔵書点検作業によって照合不良となった図書４のタイトル、巻号、年月次、書籍の位置をリスト表示するとともに、照合不良の理由を表示する。
【０１０６】
具体的には、制御部２９は、ステーション１３内のバーコードリーダ２３が読み取ったコンテナＩＤを基に図書情報テーブルを参照し、照合不良情報が「不足」と登録されている図書ＩＤの情報がある場合には、その図書４の情報をリスト表示させ、照合不良の理由には「不足」と表示する。
【０１０７】
また、制御部２９は、ステーション１３内のバーコードリーダ２３が読み取ったコンテナＩＤを基に図書情報テーブルを参照し、照合不良情報が「前後違い」と登録されている図書ＩＤの情報がある場合には、その図書４の情報をリスト表示させ、照合不良の理由には「前後違い」と表示する。
【０１０８】
また、制御部２９は、ステーション１３内のバーコードリーダ２３が読み取ったコンテナＩＤが現コンテナＩＤに設定されている図書情報テーブルを参照し、照合不良情報が「過剰」と登録されている図書ＩＤの情報がある場合には、その図書４の情報をリスト表示させ、照合不良の理由には「過剰」と表示する。
【０１０９】
また、制御部２９は、ステーション１３内のバーコードリーダ２３が読み取ったコンテナＩＤを基にコンテナ情報テーブルの正コンテナＩＤに対応する登録情報を参照し、照合不良情報が「該当外」と登録されている場合には、照合不良の理由に「該当外」と表示し、タイトル、巻号、年月次にはハイフンを表示し、図書保管管理システム１で管理していない図書４が収容されていることを示す。
【０１１０】
尚、コンテナ６がステーション１３に搬送される際に、ステーション１３内の図書用タグリーダ８によって図書４のＲＦＩＤタグ７が読み取られ、制御部２９は、照合不良の図書４の配置位置がコンテナ６の正面側または背面側のいずれになっているかを把握する。そして、タッチパネル２０の書籍の位置に、コンテナ６内の図書４の位置を概略的に示す位置画像６７を表示させるようになっている。
【０１１１】
例えば、不足している図書４の配置位置がコンテナ６の背面側になっている場合には、位置画像６７の背面側が塗り潰されており、タッチパネル２０に表示されているコンテナ回転ボタン６５を押すと、制御部２９によって、ターンテーブル１９が回転し、コンテナ６の向きが１８０度回転される。ターンテーブル１９の回転が完了すると、制御部２９は、正面側が塗り潰された位置画像６７を表示する。
【０１１２】
そして、司書は不足している図書４をコンテナ６の収容すべき配置位置に収容し、コンテナ戻しボタン６６を押すと、制御部２９は、ステーション１３の下流側に設けられた図書用タグリーダ８によってコンテナ６内の図書４のＲＦＩＤタグ７を読み取ってその図書４が図書情報テーブルに登録されている情報の通りに配置されたかをチェックする処理を行う。
【０１１３】
チェックの結果エラーがない場合には、制御部２９は、コンテナ６をステーション１３からコンベア１２，１５や搬送エレベータ１１やスタッカクレーン１０によって閉架書庫３の書棚５に戻す処理を行うとともに、図書情報テーブル及びコンテナ情報テーブルの照合不良情報を初期値に更新する処理を行い、蔵書点検漏れ確認作業が完了する。
【０１１４】
尚、蔵書点検漏れ確認作業の対象となっているコンテナ６がまだほかにある場合には、ロータリーラック１４から順次ステーション１３に搬送され、同様に確認作業を行う。蔵書点検漏れ確認作業の対象の全てのコンテナ６の確認作業が終わると、蔵書点検漏れ確認作業が完了する。
【０１１５】
以上、本実施例における図書保管管理システム１にあっては、管理装置２４は、図書ＩＤとコンテナＩＤとを対応付けて記憶する記憶部２８と、図書４における図書ＩＤが記録されたＲＦＩＤタグ７を読み取る図書用タグリーダ８と、コンテナ６におけるコンテナＩＤが記録されたバーコード部２２を読み取るバーコードリーダ２３と、蔵書点検作業の対象となる図書４が収容されたコンテナ６を蔵書点検作業のために閉架書庫３から図書用タグリーダ８及びバーコードリーダ２３まで搬送するコンベア１２，１５、搬送エレベータ１１、スタッカクレーン１０、制御部２９と、図書用タグリーダ８にて読み取られた図書ＩＤ及びバーコードリーダ２３にて読み取られたコンテナＩＤに基づいて記憶部２８に記憶される図書ＩＤ及びコンテナＩＤの対応付けの蔵書点検作業を行う記憶部２８，制御部２９と、を備えることで、図書用タグリーダ８及びバーコードリーダ２３によって記憶部２８に記憶される図書ＩＤ及びコンテナＩＤの対応付けの蔵書点検作業を自動的に行うことができ、精度の高い蔵書点検作業が容易に行えるようになり、かつ図書４の蔵書点検作業における作業者の負担を低減させることができる。また、蔵書点検作業を行う時期を任意に設定することで、例えば、図書館の休館日や夜間等の時期に蔵書点検作業を行うように設定すれば、図書４を利用する利用者の妨げにならずに済むようになる。
【０１１６】
また、記憶部２８は、コンテナ６の閉架書庫３内のロケーションまたは入出庫履歴である保管情報とコンテナＩＤとを対応付けて記憶するようになっており、管理装置２４は、複数のコンテナ６のうち、蔵書点検作業の対象となるコンテナ６の保管情報の条件を指定するタッチパネル２０と記憶部２８と制御部２９をさらに備えることで、多量の図書４が保管される大規模な図書館等であっても、定期的に蔵書点検作業を行う際に、タッチパネル２０と記憶部２８と制御部２９により所定量の図書４の蔵書点検作業を指定することで、例えば、図書館の休館日や夜間等の時期に蔵書点検作業を行う際に、その点検時期に蔵書点検作業が終了する範囲内で蔵書点検作業を行うことができる。
【０１１７】
また、管理装置２４は、記憶部２８，制御部２９にて点検されたコンテナ６のうち、図書用タグリーダ８にて読み取られた図書ＩＤ及びバーコードリーダ２３にて読み取られたコンテナＩＤと、記憶部２８に記憶されるコンテナＩＤ及び図書ＩＤと、が照合不良となったコンテナ６がある場合に、照合不良となったコンテナ６のコンテナＩＤと、照合不良状態であることを識別する照合不良情報と、を対応付けて記憶部２８に記憶させる制御を行うことで、作業者は記憶部２８を参照することで、照合不良となったコンテナ６を把握できるようになり、記憶部２８，制御部２９による蔵書点検作業の後に、照合不良となったコンテナ６を呼び出して作業者が目視または手作業で蔵書点検作業を行うことができ、作業者は照合不良となったコンテナ６のみを点検すればよいため、図書４の蔵書点検作業における作業者の負担を低減させることができる。
【０１１８】
また、管理装置２４は、記憶部２８，制御部２９にて点検されたコンテナ６のうち、図書用タグリーダ８にて読み取られた図書ＩＤ及びバーコードリーダ２３にて読み取られたコンテナＩＤと、記憶部２８に記憶されるコンテナＩＤ及び図書ＩＤと、が照合不良となったコンテナ６がある場合に、照合不良となったコンテナ６を記憶部２８，制御部２９に再び蔵書点検作業をさせる制御を行うことで、図書用タグリーダ８によるＲＦＩＤタグ７の読取ミスが生じた場合に、再び図書用タグリーダ８による読み取りを行って、読取ミスを補うことができる。
【０１１９】
また、管理装置２４は、少なくとも一部の図書４を蔵書点検作業の対象から除外するタッチパネル２０と記憶部２８と制御部２９をさらに備えることで、タッチパネル２０と記憶部２８と制御部２９により少なくとも一部の図書４を蔵書点検作業の対象から除外することができ、例えば、図書用タグリーダ８によるＲＦＩＤタグ７の読取ミスが多い、寸法の薄い図書４等の蔵書点検作業の邪魔になる図書４の蔵書点検作業を行わないように設定することができ、蔵書点検作業の効率を向上させることができる。
【０１２０】
また、管理装置２４は、少なくとも一部のコンテナ６を蔵書点検作業の対象から除外するタッチパネル２０と記憶部２８と制御部２９をさらに備えることで、タッチパネル２０と記憶部２８と制御部２９により少なくとも一部のコンテナ６を蔵書点検作業の対象から除外することができ、蔵書点検作業の必要のないコンテナ６の蔵書点検作業が行われずに済むようになり、蔵書点検作業の効率を向上させることができる。
【０１２１】
以上、本発明の実施例を図面により説明してきたが、具体的な構成はこれら実施例に限られるものではなく、本発明の要旨を逸脱しない範囲における変更や追加があっても本発明に含まれる。
【０１２２】
例えば、前記実施例では、蔵書点検作業の照合結果を図書情報テーブル及びコンテナ情報テーブルの情報として更新するようにしているが、別途記憶部２８に照合結果テーブルなどのデータベースを設けて記憶するようにしてもよい。
【符号の説明】
【０１２３】
１                図書保管管理システム
４                図書
５                書棚
６                コンテナ
７                ＲＦＩＤタグ（図書識別情報記録部）
８                図書用タグリーダ（図書識別情報受付手段）
９                貸出返却用タグリーダ（図書識別情報受付手段）
１０              スタッカクレーン（点検搬送手段）
１１              搬送エレベータ（点検搬送手段）
１２              コンベア（点検搬送手段）
１３              ステーション
１５              コンベア（点検搬送手段）
２０              タッチパネル（表示手段）
２２              バーコード部（コンテナ識別情報記録部）
２３              バーコードリーダ（コンテナ識別情報受付手段，コンテナ読取手段）２４              管理装置
２７              カードリーダ（利用者識別情報受付手段）
２８              記憶部（記憶手段）
２９              制御部（コンテナ識別情報受付手段，搬送形態選択手段，点検制御手段，点検搬送手段，図書点検除外手段，コンテナ点検除外手段，点検条件指定手段）
６８              キーボード（入力手段）
【図１】
2012036001.tif 000003
【図２】
2012036001.tif 000004
【図３】
2012036001.tif 000005
【図４】
2012036001.tif 000006
【図５】
2012036001.tif 000007
【図６】
2012036001.tif 000008
【図７】
2012036001.tif 000009
【図８】
2012036001.tif 000010
【図９】
2012036001.tif 000011
【図１０】
2012036001.tif 000012
【図１１】
2012036001.tif 000013
【図１２】
2012036001.tif 000014
【図１３】
2012036001.tif 000015
【図１４】
2012036001.tif 000016
【図１５】
2012036001.tif 000017